(57)【要約】【課題】灯具と電気的に接続された電源部を、灯具と別体で被取付部に取り付ける際に、作業性を改善できる照明器具を提供する。【解決手段】灯具２０に収容されている光源２１は、灯具２０と電線３１で接続された電源部３０から電力の供給を受けて点灯し、所定方向を照明する。このとき光源２１が発する熱は、灯具２０に一体的に設けられている放熱フィン２２によって放熱される。灯具２０の放熱フィン２２には電源部３０を保持可能な電源部保持部２６を有するので、電源部３０を電源部保持部２６で保持した状態で取付作業ができ、作業性が改善される。【選択図】図１
2013045704.tif 000002
【特許請求の範囲】
【請求項１】
光源を収容し所定方向へ光を照射する灯具と、
前記灯具に一体的に設けられて前記光源の発する熱を放熱する放熱フィンと、
前記灯具とは別個に設けられて前記光源を点灯させる箱形の電源部と、を有し、
前記放熱フィンに、前記電源部を保持可能な電源部保持部を設けた照明器具。
【請求項２】
請求項１に記載の照明器具において、
前記電源部保持部が、前記電源部の外形に対応して設けられた電源部用凹部である照明器具。
【請求項３】
請求項１または請求項２に記載の照明器具において、
前記放熱フィンにおける前記電源部用凹部と反対側に、作業者の腕の形状に対応して設けられた保持用凹部を有する照明器具。
【発明の詳細な説明】
【技術分野】
【０００１】
本発明は、電源部から電力の供給を受けて光源を点灯させ、光源の発する熱を放熱フィンによって放熱する照明器具に関するものである。
【背景技術】
【０００２】
従来より、天井等の取り付け部位に取り付ける照明器具で、光源が発する熱を放熱フィンにより放熱する照明器具が知られている（例えば、特許文献１参照）。
図９に示すように、特許文献１に記載の照明器具１００は、例えば天井に設けられた取付孔に挿入して取り付けるダウンライトである。
【０００３】
照明器具１００は、内部に光源であるＬＥＤ（図示省略）を収容する器具本体（以後、「灯具」という。）１０１を有する。また、灯具１０１の照明方向と反対側（図９において上側）には、ＬＥＤが発した熱を放熱するために、薄板状の放熱フィン１０２が多数設けられている。また、放熱フィン１０２の上部には、灯具１０１の投影範囲内に収容され、かつ、放熱フィン１０２の外側に突出可能なアーム部１０４が設けられている。アーム部１０４には、ＬＥＤに点灯電力を供給する電源部１０３が取り付けられている。
【０００４】
従って、アーム部１０４を折りたたんだ状態では、電源部１０３は灯具１０１の投影範囲内に収まるので、輸送梱包する際や施工する際に便利である。
また、アーム部１０４を放熱フィン１０２から外側に移動させることにより（図９に示す状態）、ＬＥＤと電源部１０３とが離れるので、ＬＥＤの熱が電源装置へ伝わりにくいという利点がある。
【先行技術文献】
【特許文献】
【０００５】
【特許文献１】特開２００８−１７１５８４号公報（第１図）
【発明の概要】
【発明が解決しようとする課題】
【０００６】
しかしながら、灯具と電線等で電気的に接続された電源部が、灯具と別々に被取付部に取り付けられる場合がある。
このような場合には、灯具と電源部とを別々に搬送したり、取り付けたりすることができない。このため、電源部を天井裏等に配線されている商用電源に接続する際に、灯具と電源部とを保持しながら、脚立の上等の高所で作業を行わねばならず、作業性が悪いという問題があった。
【０００７】
本発明は、従来の問題を解決するためになされたもので、灯具と電線等で電気的に接続された電源部を、灯具と別々で被取付部に取り付ける際に、作業性を改善できる照明器具を提供することを目的とする。
【課題を解決するための手段】
【０００８】
本発明の照明器具は、光源を収容し所定方向へ光を照射する灯具と、前記灯具に一体的に設けられて前記光源の発する熱を放熱する放熱フィンと、前記灯具とは別個に設けられて前記光源を点灯させる箱形の電源部と、を有し、前記放熱フィンに、前記電源部を保持可能な電源部保持部を設けたものである。
【０００９】
また、本発明の照明器具は、前記電源部保持部が、前記電源部の外形に対応して設けられた電源部用凹部であるものである。
【００１０】
また、本発明の照明器具は、前記放熱フィンにおける前記電源部用凹部と反対側に、作業者の腕の形状に対応して設けられた保持用凹部を有するものである。
【発明の効果】
【００１１】
本発明では、光源を有する灯具の放熱フィンに電源部保持部を設けたので、灯具と電源部とが別個に設置される場合で、灯具と電源部の両方を保持して取付作業をしなければならない場合に、電源部を電源部用凹部で保持した状態で取付作業ができ、作業性が改善されるという効果を有する照明器具を提供できる。
【図面の簡単な説明】
【００１２】
【図１】本発明に係る第１実施形態の照明器具の全体斜視図
【図２】電源部の斜視図
【図３】灯具で電源部を保持する状態を示す斜視図
【図４】灯具で電源部を保持している状態を示す斜視図
【図５】本発明に係る第２実施形態の照明器具の全体斜視図
【図６】電源部を保持した灯具を腕で支持する状態を示す斜視図
【図７】本発明に係る第３実施形態の照明器具の全体斜視図
【図８】灯具により電源部を支持した状態を示す斜視図
【図９】従来の照明器具の全体斜視図
【発明を実施するための形態】
【００１３】
（第１実施形態）
以下、本発明に係る第１実施形態の照明器具について、図面を用いて説明する。
図１に示すように、本発明に係る第１実施形態の照明器具１０は、被取付部である天井１１に形成された取付孔（図示省略）に埋設して下方を照明するダウンライトとすることができる。
【００１４】
照明器具１０は、光源であるＬＥＤ２１（図４参照）を収容して所定方向へ照明光を照射する灯具２０を有する。灯具２０は、円柱形状の枠体２３に、回動可能（図１中矢印Ａ参照）に支持されており、照明方向の調整が可能となっている。枠体２３の下端（図１において下端）には、鍔部材２４が取り付けられ、枠体２３の側面には複数個（ここでは、例えば３個設けられているが図１においては２個のみ図示する。）の取付バネ２５が放射状に外側へ張り出して設けられている。
従って、灯具２０は、天井１１の下面に鍔部材２４を当接させ、取付バネ２５が天井１１の上面（天井裏）を下方へ押圧することにより、鍔部材２４と取付バネ２５とで天井１１を挟んで取り付けられる。
【００１５】
灯具２０には、ＬＥＤ２１を点灯させる電力を供給する電源部３０が、電線３１で接続されており、天井裏（天井１１の上面側）に、灯具２０とは別々に取り付けられる。
図２に示すように、電源部３０は、矩形箱形の筐体３２を有し、例えば長手方向両端に天井１１に固定するための取付部３３を有する。また、天井裏に配線されている商用電源の電源線１２に接続するための接続端子台３４を有しており、電源線１２の先端を差し込みことにより電気的に接続されるようになっている。
【００１６】
図１に示すように、灯具２０には、ＬＥＤ２１が発する熱を放熱する複数枚の薄板状の放熱フィン２２が一体的に設けられている。放熱フィン２２は、灯具２０の回動方向と反対側に設けられている幅広の第１放熱フィン２２１と、回動方向側に設けられている幅狭な第２放熱フィン２２２を有する。
なお、第１放熱フィン２２１と、第２放熱フィン２２２を総称する場合には、放熱フィン２２と記すこととする。
【００１７】
第２放熱フィン２２２の高さ方向中央部には、電源部３０を保持可能な電源部保持部として電源部用凹部２６が設けられている。電源部用凹部２６は、電源部３０の外形に対応して設ける。
すなわち、電源部用凹部２６は、電源部３０の筐体３２を嵌め込んで保持できる大きさおよび形状を有する。
【００１８】
次に、照明器具１０を天井１１に取り付ける作業について説明する。
照明器具１０の灯具２０は、天井１１の取付孔（図示省略）に埋め込まれて、鍔部材２４と取付バネ２５との間に天井１１を挟持して取り付けられる。
一方、電源部３０は、天井裏に配線されている商用電源の電源線１２に接続されて、灯具２０とは別個に天井裏に取り付けられる。このため、灯具２０を天井１１に取り付ける前に、電源部３０に電源線１２を接続する。
【００１９】
電源部３０は電線３１によって灯具２０と接続されているため、電源部３０および灯具２０の両方を保持して取付を行わねばならない。
このため、図３に示すように、灯具２０の第１放熱フィン２２１の先端が略水平になるように灯具２０を横にして、電源部用凹部２６が上向きに略水平になるようにする。そして、電源部３０を電源部用凹部２６に上方から嵌め込んで（図３矢印Ａ参照）、仮保持する。
次いで、図４に示すように、作業者は、灯具２０を下方から手で支持し（図４中矢印Ａ参照）、灯具２０に保持された電源部３０の接続端子台３４に電源線１２の先端を差し込んで接続する。
【００２０】
その後、電源部３０を灯具から外して取付孔（図示省略）から天井裏に入れて載置あるいは取り付けを行った後に、灯具２０を取付孔（図示省略）に取り付ける。
なお、第２放熱フィン２２２は、灯具２０の回動方向にあるため、誤って電源部３０を電源部用凹部２６に保持したまま灯具２０を天井１１に取り付けた場合には、灯具２０を回動させることにより誤作業を容易に発見することができる。
【００２１】
以上、説明した本発明に係る第１実施形態の照明器具１０によれば、灯具２０に収容されているＬＥＤ２１は、電線３１で灯具２０と接続された電源部３０から電力の供給を受けて点灯し、所定方向を照明する。このときＬＥＤ２１が発する熱は、灯具２０に一体的に設けられている放熱フィン２２によって放熱される。
電源部３０は、灯具２０とは別個に天井１１に取り付けられるが、予め、電線３１で灯具２０に接続されている場合には、別々に搬送や取り付けを行うことができない。このため、灯具２０と電源部３０の両方を保持して、取付作業をしなければならない。このとき、灯具２０の放熱フィン２２に、電源部３０を保持可能な電源部用凹部２６を設けたので、電源部３０を電源部用凹部２６で保持した状態で取付作業ができ、作業性が改善される。
【００２２】
また、放熱フィン２２に、電源部保持部として電源部３０の外形に対応した電源部用凹部２６を設けたので、電源部３０を電源部用凹部２６に嵌めて保持した状態で取付作業ができ、作業性が改善される。
【００２３】
なお、前述した照明器具１０においては、第２放熱フィン２２２に電源部用凹部２６を設けた場合を例示したが、逆の場合も可能である。
すなわち、第１放熱フィン２２１に電源部用凹部２６を設けることも可能である。
【００２４】
（第２実施形態）
次に、本発明に係る第２実施形態の照明器具について説明する。
なお、前述した第１実施形態の照明器具１０と共通する部位には同じ符号を付して、重複する説明を省略することとする。
図５に示すように、第２実施形態の照明器具１０Ｂでは、放熱フィン２２Ｂにおいて、電源部用凹部２６を設けた第２放熱フィン２２２と反対側の第１放熱フィン２２１Ｂに、作業者の腕Ｍの形状に対応して保持用凹部２７を設けた（図６参照）。
【００２５】
従って、図６に示すように、電源部３０の接続端子台３４に電源線１２を接続する際に、保持した電源部３０が上に位置するように灯具２０Ｂを配置すると、保持用凹部２７は下向きに位置する。このため、保持用凹部２７を作業者の腕Ｍに合わせることにより、電源部３０を保持した灯具２０Ｂを支持することができる。
なお、電源部３０および灯具２０の天井１１への取付作業は、前述した第１実施形態の場合と同様である。
【００２６】
以上、説明した本発明に係る第２実施形態の照明器具１０Ｂによれば、放熱フィン２２Ｂにおける電源部用凹部２６と反対側には、作業者の腕Ｍの形状に対応した保持用凹部２７が設けられている。
このため、作業者は、作業時に腕Ｍを保持用凹部２７に嵌めて、腕Ｍに灯具２０あるいは灯具２０および電源部３０を載せた状態で保持することができるので、両手で電源部３０の結線作業等を行うことができ、作業性を改善できる。
【００２７】
また、前述した照明器具１０Ｂにおいては、第２放熱フィン２２２に電源部用凹部２６を設け、第１放熱フィン２２１Ｂに保持用凹部２７を設けた場合を例示したが、逆の場合も可能である。
すなわち、第１放熱フィン２２１Ｂに電源部用凹部２６を設け、第２放熱フィン２２２に保持用凹部２７を設けることも可能である。
【００２８】
（第３実施形態）
次に、本発明に係る第３実施形態の照明器具について説明する。
なお、前述した第１実施形態の照明器具１０および第２実施形態の照明器具１０Ｂと共通する部位には同じ符号を付して、重複する説明を省略することとする。
【００２９】
図７に示すように、第３実施形態の照明器具１０Ｃでは、電源部保持部として、放熱フィン２２Ｃの頂部に電源部３０を保持可能な保持板２８を設けた。保持板２８は、放熱フィン２２Ｃの一部として一体的に設けることもできる。
従って、第１実施形態の照明器具１０および第２実施形態の照明器具１０Ｂの第２放熱フィン２２２に設けた電源部用凹部２６および第２実施形態の照明器具１０Ｂの第１放熱フィン２２１Ｂに設けた保持用凹部２７は、設けられていない。
【００３０】
図８に示すように、電源部３０の接続端子台３４に電源線１２を接続する際には、保持した電源部３０が上に位置するように灯具２０Ｃを配置し、灯具２０Ｃで電源部３０を保持する。そして、作業者は、この状態で灯具２０Ｃを下方から支持し、上方から電源線１２の先端を電源部３０の接続端子台３４に挿入して、接続する。
なお、電源部３０および灯具２０の天井１１への取付作業は、前述した第１実施形態の場合と同様である。
【００３１】
以上、説明した本発明に係る第３実施形態の照明器具１０Ｃによれば、放熱フィン２２Ｃの頂部に保持板２８を設けたので、電源部３０を灯具２０Ｃで支持した状態で電源部３０の結線作業ができる。これにより、作業性を改善できる。
また、保持板２８が放熱フィン２２Ｃに取り付けられるので、放熱面積が拡大し、放熱効率が向上する。
【００３２】
なお、本発明の照明器具１０、１０Ｂ、１０Ｃは、前述した各実施形態に限定されるものでなく、適宜な変形，改良等が可能である。
例えば、前述した各実施形態においては、電源部用凹部２６に電源部３０を一時的に仮置きする場合について例示した。本発明では、放熱フィン２２の面積および設置スペースが十分な場合、かつ、灯具２０の回動を妨げない場合には、電源部用凹部２６に電源部３０を取り付けることも可能である。
【符号の説明】
【００３３】
１０、１０Ｂ、１０Ｃ  照明器具
２０  灯具
２１  ＬＥＤ（光源）
２２、２２Ｂ、２２Ｃ  放熱フィン
２６  電源部用凹部（電源部保持部）
２７  保持用凹部
３０  電源部
Ｍ  腕
【図１】
2013045704.tif 000003
【図２】
2013045704.tif 000004
【図３】
2013045704.tif 000005
【図４】
2013045704.tif 000006
【図５】
2013045704.tif 000007
【図６】
2013045704.tif 000008
【図７】
2013045704.tif 000009
【図８】
2013045704.tif 000010
【図９】
2013045704.tif 000011